(57)【要約】【課題】プリンタにディジタルカメラや携帯電話を接続して撮影画像を印刷する場合に、印刷メニューを表示するディスプレイとして、カメラや携帯電話に備え付けのものを使用する。【解決手段】  印刷データ２１を記憶する記憶装置２０と、印刷データ２１を印刷するための印刷メニュー２２を、インタフェース３６を介して接続された任意の表示装置４０に表示するメニュー表示制御手段３１と、印刷メニューによる印刷条件の入力を、表示装置４０からインタフェース３６を介して受け付けて、印刷条件データ２３を生成する条件受付手段３２と、記憶装置２０に記憶された印刷データ２１を、印刷条件データ２３に含まれた条件に従って印刷する印刷制御手段３３とを備える。【選択図】図１
2006264219.tif 000002
【特許請求の範囲】
【請求項１】
印刷データを記憶する記憶装置と、
前記印刷データを印刷するための印刷メニューを、インタフェースを介して接続された
任意の表示装置に表示するメニュー表示制御手段と、
前記印刷メニューによる印刷条件の入力を、前記表示装置からインタフェースを介して
受け付けて、印刷条件データを生成する条件受付手段と、
前記記憶装置に記憶された印刷データを、前記印刷条件データに含まれた条件に従って
印刷する印刷制御手段とを備えたことを特徴とするプリンタ。
【請求項２】
請求項１に記載のプリンタにおいて、
前記メニュー表示制御手段は、前記印刷メニューを表示するプログラムモジュールを、
前記インタフェースを介して前記表示装置にダウンロードすることを特徴とするプリンタ
。
【請求項３】
請求項２に記載のプリンタにおいて、
前記メニュー表示制御手段は、前記印刷メニューを表示するプログラムモジュールとと
もに、前記印刷データ全体もしくはその一部を前記表示装置へ転送することを特徴とする
プリンタ。
【請求項４】
請求項３に記載のプリンタにおいて、
前記条件受付手段は、前記印刷メニューによる印刷条件とともに、前記表示装置側で加
工された印刷データを、前記インタフェースを介して受け付け、
前記印刷制御手段は、前記条件受付手段が受け付けた印刷データを、前記印刷条件デー
タに含まれた条件に従って印刷することを特徴とするプリンタ。
【請求項５】
請求項２乃至４のいずれかに記載のプリンタにおいて、
印刷データの印刷を終了後に、前記印刷メニューを表示するプログラムモジュールまた
は印刷データを、前記表示装置の記憶装置から削除する、削除処理手段を備えたことを特
徴とするプリンタ。
【請求項６】
印刷データを記憶する記憶手段と、
特定のプリンタに前記印刷データを印刷させるための印刷制御モジュールを、ネットワ
ークを通じてダウンロードするダウンロード制御手段と、
前記印刷制御モジュールを起動して、印刷メニューを表示部に表示し、印刷条件の入力
を受け付けて、印刷条件データを生成する印刷条件生成手段と、
前記記憶手段に記憶された印刷データと前記印刷条件データとを、前記特定のプリンタ
に送信する印刷条件送信手段とを備えたことを特徴とする表示装置。
【請求項７】
コンピュータを、
印刷データを記憶する記憶装置と、
前記印刷データを印刷するための印刷メニューを、インタフェースを介して接続された
任意の表示装置に表示するメニュー表示制御手段と、
前記印刷メニューによる印刷条件の入力を、前記表示装置からインタフェースを介して
受け付けて、印刷条件データを生成する条件受付手段と、
前記記憶装置に記憶された印刷データを、前記印刷条件データに含まれた条件に従って
印刷する印刷制御手段、
として機能させるプリンタ制御プログラム。
【請求項８】
コンピュータを、
印刷データを記憶する記憶装置と、
前記印刷データを印刷するための印刷メニューを、インタフェースを介して接続された
任意の表示装置に表示するメニュー表示制御手段と、
前記印刷メニューによる印刷条件の入力を、前記表示装置からインタフェースを介して
受け付けて、印刷条件データを生成する条件受付手段と、
前記記憶装置に記憶された印刷データを、前記印刷条件データに含まれた条件に従って
印刷する印刷制御手段、
として機能させるプリンタ制御プログラムを記録した、コンピュータで読み取り可能な記
録媒体。
【請求項９】
記憶装置が、印刷データを記憶するステップと、
メニュー表示手段が、前記印刷データを印刷するための印刷メニューを、インタフェー
スを介して接続された任意の表示装置に表示するステップと、
条件受付手段が、前記印刷メニューによる印刷条件の入力を、前記表示装置からインタ
フェースを介して受け付けて、印刷条件データを生成するステップと、
印刷制御手段が、前記記憶装置に記憶された印刷データを、前記印刷条件データに含ま
れた条件に従って印刷するステップと、
を含む印刷制御方法。
【発明の詳細な説明】
【技術分野】
【０００１】
本発明は、印刷制御用の高精細なディスプレイを必要としない、プリンタと表示装置と
プリンタ制御プログラムと記録媒体とプリンタ制御方法に関する。
【背景技術】
【０００２】
ディジタルカメラやディジタルカメラ付きの携帯電話が普及し、その写真プリントの需
要が急増している。このために、ディジタルカメラ等から印刷データを直接取得して、パ
ーソナルコンピュータ等の操作無しに写真の印刷ができるプリンタが開発された（特許文
献１、特許文献２）。
【特許文献１】特開２００５−７７７０号公報
【特許文献２】特開２００５−１１２４２号公報
【発明の開示】
【発明が解決しようとする課題】
【０００３】
ここで、従来の技術には、次のような解決すべき課題があった。プリンタで直接印刷を
制御する場合には、プリンタに簡単なディスプレイが必要になる。しかしながら、印刷要
求が複雑になると、ディスプレイに大画面で高性能なものが要求さる。この要求に応える
とプリンタのコストが増大する。本発明は以上の点に着目してなされたもので、プリンタ
に印刷を要求するディジタルカメラや携帯電話に設けられた高精細なディスプレイを、印
刷制御に利用できるプリンタと表示装置とプリンタ制御プログラムと記録媒体とプリンタ
制御方法とを提供することを目的とする。
【課題を解決するための手段】
【０００４】
本発明の各実施例においては、それぞれ次のような構成により上記の課題を解決する。
〈構成１〉  印刷データを記憶する記憶装置と、上記印刷データを印刷するための印刷
メニューを、インタフェースを介して接続された任意の表示装置に表示するメニュー表示
制御手段と、上記印刷メニューによる印刷条件の入力を、上記表示装置からインタフェー
スを介して受け付けて、印刷条件データを生成する条件受付手段と、上記記憶装置に記憶
された印刷データを、上記印刷条件データに含まれた条件に従って印刷する印刷制御手段
とを備えたことを特徴とするプリンタ。
【０００５】
プリンタにディジタルカメラや携帯電話を接続して撮影画像を印刷する場合に、印刷メ
ニューを表示するディスプレイとして、カメラや携帯電話に備え付けのものを使用する。
従って、プリンタ側に高価な高解像度のディスプレイを装備する必要がない。
【０００６】
〈構成２〉  構成１に記載のプリンタにおいて、上記メニュー表示制御手段は、上記印
刷メニューを表示するプログラムモジュールを、上記インタフェースを介して上記表示装
置にダウンロードすることを特徴とするプリンタ。
【０００７】
印刷メニューの表示制御に、カメラや携帯電話側で動作するコンピュータプログラムを
使用して、操作性のよい、ユーザインタフェースを構築できる。プリンタ側で印刷メニュ
ーの制御をしなくてよいから、制御が容易になる。
【０００８】
〈構成３〉  構成２に記載のプリンタにおいて、上記メニュー表示制御手段は、上記印
刷メニューを表示するプログラムモジュールとともに、上記印刷データ全体もしくはその
一部を上記表示装置へ転送することを特徴とするプリンタ。
【０００９】
例えばメモリカードをプリンタに装着して印刷を制御するときには、プリンタから携帯
電話等に印刷データのサムネイルを転送して、印刷メニューの操作に利用することができ
る。
【００１０】
〈構成４〉  構成３に記載のプリンタにおいて、上記条件受付手段は、上記印刷メニュ
ーによる印刷条件とともに、上記表示装置側で加工された印刷データを、上記インタフェ
ースを介して受け付け、上記印刷制御手段は、上記条件受付手段が受け付けた印刷データ
を、上記印刷条件データに含まれた条件に従って印刷することを特徴とするプリンタ。
【００１１】
表示装置側に、印刷データを加工処理する機能があるときは、このように、加工処理さ
れた印刷データをプリンタが受け付けて印刷をすることができる。
【００１２】
〈構成５〉  構成２乃至４のいずれかに記載のプリンタにおいて、印刷データの印刷を
終了後に、上記印刷メニューを表示するプログラムモジュールまたは印刷データを、上記
表示装置の記憶装置から削除する、削除処理手段を備えたことを特徴とするプリンタ。
【００１３】
プリンタ使用後に、携帯電話等のメモリ中にプログラムモジュールや印刷データが残っ
ていると、携帯電話等の負荷になるおそれがある。そこで、これらを記憶装置から自動的
に削除する機能を付与した。
【００１４】
〈構成６〉  印刷データを記憶する記憶手段と、特定のプリンタに上記印刷データを印
刷させるための印刷制御モジュールを、ネットワークを通じてダウンロードするダウンロ
ード制御手段と、上記印刷制御モジュールを起動して、印刷メニューを表示部に表示し、
印刷条件の入力を受け付けて、印刷条件データを生成する印刷条件生成手段と、上記記憶
手段に記憶された印刷データと上記印刷条件データとを、上記特定のプリンタに送信する
印刷条件送信手段とを備えたことを特徴とする表示装置。
【００１５】
プリンタの印刷制御モジュールを、所定のウェブサイトからダウンロードできるので、
プリンタを起動する前に予め印刷データの加工処理等をしておくことができる。
【００１６】
〈構成７〉  コンピュータを、印刷データを記憶する記憶装置と、上記印刷データを印
刷するための印刷メニューを、インタフェースを介して接続された任意の表示装置に表示
するメニュー表示制御手段と、上記印刷メニューによる印刷条件の入力を、上記表示装置
からインタフェースを介して受け付けて、印刷条件データを生成する条件受付手段と、上
記記憶装置に記憶された印刷データを、上記印刷条件データに含まれた条件に従って印刷
する印刷制御手段、として機能させるプリンタ制御プログラム。
【００１７】
〈構成８〉  コンピュータを、印刷データを記憶する記憶装置と、上記印刷データを印
刷するための印刷メニューを、インタフェースを介して接続された任意の表示装置に表示
するメニュー表示制御手段と、上記印刷メニューによる印刷条件の入力を、上記表示装置
からインタフェースを介して受け付けて、印刷条件データを生成する条件受付手段と、上
記記憶装置に記憶された印刷データを、上記印刷条件データに含まれた条件に従って印刷
する印刷制御手段、として機能させるプリンタ制御プログラムを記録した、コンピュータ
で読み取り可能な記録媒体。
【００１８】
〈構成９〉  記憶装置が、印刷データを記憶するステップと、メニュー表示手段が、上
記印刷データを印刷するための印刷メニューを、インタフェースを介して接続された任意
の表示装置に表示するステップと、条件受付手段が、上記印刷メニューによる印刷条件の
入力を、上記表示装置からインタフェースを介して受け付けて、印刷条件データを生成す
るステップと、印刷制御手段が、上記記憶装置に記憶された印刷データを、上記印刷条件
データに含まれた条件に従って印刷するステップと、を含む印刷制御方法。
【発明を実施するための最良の形態】
【００１９】
本発明では、ディジタルカメラ、携帯電話、テレビジョンモニタ用ディスプレイ等を、
プリンタ制御用の表示装置として利用する。以下、本発明の実施の形態を実施例ごとに詳
細に説明する。
【実施例１】
【００２０】
図１は、本発明のプリンタの実施例を示すブロック図である。
図示のプリンタ１０は、記憶装置２０と演算処理装置３０と、インタフェース３６及び
プリントエンジン３７を備える。記憶装置２０には、印刷データ２１、印刷メニュー２２
、印刷条件データ２３、印刷メニュー表示プログラムモジュール２４などが記憶される。
演算処理装置３０には、メニュー表示制御手段３１、条件受付手段３２、印刷制御手段３
３、削除処理手段３４、及び印刷データ取得手段３５が設けられている。これらは、プリ
ンタ１０を制御するコンピュータに所定の機能を付与するコンピュータプログラムからな
る。プリンタ１０は、これらの手段の制御により、プリントエンジン３７を駆動して、用
紙１１に印刷データ２１を印刷する。インタフェース３６は、この例では、汎用のＵＳＢ
インタフェースである。このインタフェース３６に、ＵＳＢケーブル３８を介して表示装
置（ここではディジタルカメラ）４０が接続されている。この表示装置４０は、表示部４
１を備える。プリンタ１０は、この表示部４１に印刷メニュー５０を表示して、印刷制御
用に利用する。本発明において、プリンタ１０は、ディジタルカメラ以外に、例えば、携
帯電話４５やテレビジョンモニタディスプレイ４６等を接続して、表示装置として利用す
ることができる。
【００２１】
上記記憶装置２０に記憶された印刷データ２１は、用紙１１に所定の画像を印刷するた
めのデータである。これは、ディジタルカメラ等の外部機器から印刷開始までに転送され
たものでもよいし、各種の記憶媒体から読み出されたものでもよい。印刷メニュー２２は
、表示装置４０に転送して表示部４１に表示させるための、印刷操作のためのメニュー用
画像データである。印刷条件データ２３は、印刷メニュー２２を操作して入力されたデー
タで、例えば、どの印刷データを何枚といった、印刷条件を示すデータである。印刷メニ
ュー表示プログラムモジュール２４は、必要に応じて表示装置４０等に対して転送され、
表示装置４０を直接制御するコンピュータプログラムである。
【００２２】
演算処理装置３０のメニュー表示制御手段３１は、印刷データ２１を印刷するための印
刷メニュー２２をインタフェース３６を介して接続された表示装置４０の表示制御をする
機能を持つ。条件受付手段３２は、印刷メニュー５０を操作して印刷条件が入力されたと
き、表示部４１からインタフェース３６を介してその情報を受け付けて、印刷条件データ
２３を生成する機能を持つ。印刷制御手段３３は、記憶装置２０に記憶された印刷データ
を印刷条件データ２３に含まれた条件に従って印刷するように、プリントエンジン３７を
制御する機能を持つ。削除処理手段３４は、後で説明するように、表示装置４０にダウン
ロードされた印刷メニュー表示プログラムモジュール２４や、メモリに記憶された印刷デ
ータを、印刷終了後に削除する機能を持つ。印刷データ取得手段３５は、表示装置４０を
ＵＳＢケーブル３８を用いてインタフェース３６に接続したときに自動的に起動し、表示
装置４０の記憶装置から印刷データ２１の転送を受けて、記憶装置２０に記憶させる機能
を持つ。
【００２３】
図２は、表示装置４０の具体的な内部機能ブロック図である。
表示装置４０の内部には、記憶装置４７と演算処理装置４８とが設けられている。記憶
装置４７には、印刷メニュー表示プログラムモジュール２４と印刷データ２１と印刷条件
データ２３が記憶される。印刷メニュー表示プログラムモジュール２４は、ダウンロード
されたときに自己解凍して、演算処理装置に、印刷条件生成手段５３、印刷条件送信手段
５４、メニュー表示手段５５及び印刷データ加工手段５６をロードする。演算処理装置４
８は、表示装置４０本体の制御に使用する通信制御手段５２を備える。演算処理装置４８
に設けられ、ロードされた各手段は、いずれも表示装置４０を制御するコンピュータに対
し、所定の機能を付与するコンピュータプログラムである。
【００２４】
上記通信制御手段５２は、プリンタ１０から印刷メニュー表示プログラムモジュール２
４をインタフェース３６を通じてダウンロードし、記憶装置に記憶させる機能を持つ。印
刷メニュー表示プログラムモジュール２４はただちに自己解凍して、上記の各手段を起動
する。メニュー表示手段５５は、印刷メニュー５０を表示部４１に表示し、印刷条件の入
力を受け付ける機能を持つ。印刷条件生成手段５３は、メニュー表示手段５５が受け付け
た印刷条件から、印刷条件データ２３を生成する機能を持つ。印刷条件送信手段５４は、
記憶装置４７に記憶された印刷条件データ２３をプリンタ１０に送信する機能を持つ。印
刷データ加工手段５６は、記憶装置４７に記憶された印刷データ２１を編集したり、トリ
ミングをしたりする画像加工処理を制御する既知のプログラムである。記憶装置に記憶さ
れた印刷データ２１は、ディジタルカメラによって撮影された撮影画像である。これが、
プリンタ１０に転送されて印刷される。印刷条件データ２３は、印刷条件生成手段により
生成された、印刷データの印刷条件を定めるためのデータである。これは、印刷条件送信
手段５４によりプリンタ１０に転送される。
【００２５】
図３は、本発明のシステムのハードウエア構成説明図である。
図３（ａ）には、プリンタ１０と携帯電話４５とを接続した状態の外観図を示した。図
１はディジタルカメラを接続した例を示したが、このように、プリンタ１０に携帯電話４
５をインタフェースケーブル（ここではＵＳＢケーブル）を介して接続するだけで、本発
明を実施できる。もちろん、インタフェースは、無線インタフェースであっても構わない
。
【００２６】
図３（ｂ）には、プリンタと携帯電話のハードウエアブロック図を示す。  プリンタ１
０は、バスライン１２０にインタフェース３６とＣＰＵ１２１（中央演算処理装置）、Ｒ
ＯＭ１２２（リードオンメモリ）、ＲＡＭ１２３（ランダムアクセスメモリ）、ＲＡＭ１
２４（ランダムアクセスメモリ）とプリントエンジン１２７を接続したものである。この
例では、プリンタはディスプレイを有しない。ＣＰＵ１２１は、プリンタを制御するコン
ピュータである。ＲＯＭ１２２は、ファームウエアを記憶するメモリである。ＲＡＭ１２
３は、印刷データを一時記憶するメモリである。ＲＡＭ１２４は、プリントエンジン１２
７に供給する印刷データを記憶するためのメモリである。プリントエンジン１２７は、用
紙を搬送し、印字ヘッドを用いて用紙上に印刷を実行する既知のプリントメカニズムであ
る。
【００２７】
表示装置４０は、ＣＰＵ１１１、ＲＯＭ１１２、ＲＡＭ１１３、入出力インタフェース
１１４を内部バス１１０に接続したものである。入出力インタフェース１１４には、ディ
スプレイ１１５や操作キー１１７が接続されている。ディスプレイ１１５は、表示部４１
として機能する。操作キー１１７は、携帯電話に用いられた操作用の各種のキーである。
ＣＰＵ１１１は、携帯電話を制御するコンピュータである。ＲＯＭ１１２は、表示装置（
ディジタルカメラ）を制御するファームウエアを記憶するメモリである。ＲＡＭ１１３は
、印刷データ２１や印刷条件データ２３や印刷条件生成手段５３、印刷条件送信手段５４
、メニュー表示手段５５及び印刷データ加工手段５６などを記憶するメモリである。ＲＯ
Ｍ１１２に通信制御手段５２などが記憶される。なお、ディジタルカメラ等の他の表示装
置もほぼ同様のハードウエア構成のため、重複する部分の説明を省略する。いずれの装置
のメモリも、任意の記憶手段に置き換えてさしつかえない。
【００２８】
図４は、表示装置４０の表示部４１に表示された印刷メニューとその動作説明図である
。
図示の印刷メニュー５０には、ボタン６１とボタン６２とが設けられている。印刷メニ
ュー５０には、印刷データ２１に対応する画像６３が表示される。ボタン６１をクリック
すると、複数枚の印刷データのうちの一枚の画像が順番に後ろに繰り下がって表示される
。ボタン６２をクリックすると、同様に一枚の画像が順番に繰り上がって表示される。テ
キストボックス６４には、画像６３を印刷する枚数を指定する数字が入力される。ボタン
６５は、画像６３を加工する場合にクリックされる。
【００２９】
この印刷メニュー５０を表示する直前には、表示装置４０制御のための基本的なメニュ
ー画面７１が表示されている。図４の左下にその一部を示す。ボタン７２は、写真転送を
行う場合にクリックされる。このボタン７２がクリックされると、表示装置（ディジタル
カメラ）の記憶装置４７に記憶された印刷データ２１がプリンタに転送される。ボタン７
３は、印刷開始の指示を入力するためのものである。このボタン７３をクリックすると、
印刷メニュー５０が表示される。印刷メニュー５０に設けられたボタン６０は、印刷を実
行するための指示を入力するためのものである。このボタン６０をクリックすると、画面
８１が表示され、プリンタに印刷条件データが転送されて印刷が開始された旨が知らされ
る。これにより、印刷データ２１が用紙１１の上に印刷される。
【００３０】
ボタン６７は、テキストボックス６４に入力した印刷枚数を全てゼロクリアするための
ものである。ボタン６５をクリックすると、画面７４が表示される。この画面７４には、
ボタン７５、７６、７７、７８、７９が設けられている。ボタン７５は、印刷画像のサイ
ズを指定するボタンである。このボタン７５をクリックすると、例えば、印刷画像のサイ
ズをＡ４判、Ｂ５判、写真標準サイズという選択ができる。ボタン７６をクリックすると
、画像の画質が選択できる。例えば、解像度等をここで指定する。ボタン７７をクリック
するとカラー印刷、ボタン７８をクリックするとモノクロ印刷が指示できる。ボタン７９
をクリックすると、画像６３の周りに表示するべき枠を選択する画面が表示される。写真
の修飾によ利用される処理である。この画面７４を利用することによって、印刷画像の加
工処理が可能になる。このとき、印刷データ加工手段５６が起動する。なお、印刷条件が
設定され、印刷を実行するためのボタン６０がクリックされると、印刷条件データ２３が
プリンタ１０に転送される。この印刷条件データ２３は、どの印刷データを何枚ずつ、ど
ういった印刷条件で印刷する、という内容を指示したデータである。これによって各印刷
データは、それぞれ、サイズや色やその他の修飾が指定されてプリンタ１０により印刷さ
れる。ボタン６８は、これらの操作を終了するためのものである。
【００３１】
図５は、本発明の各種の実施態様を説明する説明図である。
プリンタ１０で用意された印刷メニュー２２を、インタフェースを介して接続された表
示装置４０に表示する方法は、２種類考えられる。図５（ａ）のように、メニュー表示制
御手段３１が印刷メニュー２２を読み出し、インタフェース３６を介して表示装置４０に
転送して表示するという方法がある。表示制御は、メニュー表示制御手段３１が実行する
。印刷メニューとともに、サムネイルを転送して表示し、印刷データを選択させることも
できる。もちろん、印刷データをそのまま転送することもできる。表示装置４０側からプ
リンタ１０へは、印刷条件データだけを送信する。
【００３２】
上記の例では、印刷データ２１はもともと表示装置の側にあった。それを予めプリンタ
１０に転送してから、印刷メニュー表示処理を開始する。しかしながら、例えば、印刷デ
ータ２１は別途メモリカード等によりプリンタ１０に転送しておくことができる。また、
例えば、ディジタルカメラで撮影した印刷データをプリンタに転送する一方で、プリンタ
にテレビジョンモニタディスプレイを接続して印刷メニュー表示制御をすることもできる
。図５（ｂ）はそのケースを示している。印刷データはプリンタ側のみにある。実際の制
御動作は（ａ）のケースと同様である。
【００３３】
一方、表示装置４０を備えた装置の側に十分な演算処理機能がある場合には、高機能の
印刷メニュー表示プログラムモジュール２４を、その装置にダウンロードすることが好ま
しい。これが、図５（ｃ）に示した例である。印刷メニュー表示プログラムの起動後は、
例えば、図２に示したメニュー表示手段５５が、印刷メニューを表示装置４０に表示する
。印刷条件の選択操作を表示装置４０側で実行するので、インタフェースを介して行う場
合に比べて操作性がよくなる。この場合にも、表示装置４０からプリンタ１０へは、印刷
条件データだけを送信する。なお、印刷メニュー表示プログラムモジュール２４は、プリ
ンタからダウンロードするのが最も適する。通常は、プリンタ専用の機能を備えるからで
ある。しかしながら、インターネットを介して所定のサイトをアクセスし、対応するプロ
グラムをダウンロードするようにしても構わない。
【００３４】
最後に、図５（ｄ）に示したように、表示装置側に、印刷メニュー表示プログラムモジ
ュール２４をダウンロードするとともに、印刷データも表示装置側に置くことが考えられ
る。ディジタルカメラのように、もともと印刷データを内部に記憶している場合にはこの
方法が最も適する。もちろん、プリンタの内部に記憶された印刷データを表示装置側に転
送してから処理を開始するようにして構わない。プリンタ専用の印刷メニュー表示プログ
ラムモジュール２４をダウンロードすれば、印刷メニュー表示制御とともに、印刷データ
の加工処理も可能である。印刷データの加工には、例えば、印刷データ２１をトリミング
したり、印刷データ２１に別の画像を重ね合わせる、といった処理があげられる。こうし
て加工処理した印刷データをプリンタ１０に転送するとよい。
【００３５】
上記のようなシステムでは、プリンタ１０は、最小限のディスプレイを設けるだけでよ
い。なお、プリンタ１０による印刷の終了後に、印刷メニューを表示するプログラムモジ
ュールと印刷データの両方またはいずれか一方を、表示装置の記憶装置から削除すること
が好ましい。さもないと、例えば、ディジタルカメラ等のメモリを大量に占有して、その
動作を妨げるおそれがあるからである。
【００３６】
図６は、プリンタの動作フローチャートである。
まず、ステップＳ１１において、プリンタ１０にインタフェースケーブルを接続する。
上記の例では、ＵＳＢケーブル３８がインタフェースケーブルである。インタフェースケ
ーブルには、ディジタルカメラなどの表示装置が接続されている。ステップＳ１２では、
その表示装置から印刷データをダウンロードする。ステップＳ１３では、プリンタ１０を
直接制御して印刷を行うか、あるいはディジタルカメラ等の表示装置を用いて制御するか
を判断する。ディジタルカメラ等の表示装置を用いて制御する場合には、リモート制御と
なる。リモート制御の場合には、ステップＳ１４に進む。それ以外の場合は、処理を終了
する。ステップＳ１４では、印刷メニュー表示モジュールを表示装置に転送する。
【００３７】
ステップＳ１５では、印刷データのサムネイルを生成する。ステップＳ１６で、このサ
ムネイルを表示装置に転送する。その後は、ステップＳ１７で表示装置側からの画像選択
操作と印刷条件データ２３の入力を待つ。具体的には、印刷実行ボタン６０（図４）のク
リックイベントを待つ。選択制御が終了して、印刷条件データ２３の入力が終了したと判
断すると、ステップＳ１８に進み、印刷データの選択情報を取得する。さらに、ステップ
Ｓ１９において印刷条件データを取得する。ステップＳ２０では、印刷実行命令を取得す
る。これで、プリンタ１０の側で、印刷を連続的に実行できる状態になる。ステップＳ２
１では、１ページ分の印刷を行い、ステップＳ２２で次の印刷があるかどうかを判断する
。次の印刷があれば、ステップＳ２１に戻り、再び印刷を実行する。全ての印刷が終われ
ば、処理を終了する。
【００３８】
図７は、表示装置４０が印刷メニュー表示プログラムモジュール２４をウェブサイトか
らダウンロードする動作フローチャートである。
まず、ステップＳ３１において、表示装置４０をウェブサイトに接続する。携帯電話の
場合には、通常の操作で容易にネットワークへの接続ができる。一方、携帯電話機能を持
たないディジタルカメラの場合には、例えば、パーソナルコンピュータなどに接続して、
間接的にウェブサイトに接続する。この場合には、プリンタからプログラムをダウンロー
ドできるほうが、優れているといえる。ステップＳ３２では、ウェブサイトの案内画面を
見ながら、制御対象となるプリンタを特定する。ステップＳ３３で、そのプリンタのため
の印刷制御プログラムをダウンロードする。この印刷制御プログラムに、印刷メニュー表
示プログラムモジュールが含まれている。
【００３９】
図８は、表示装置側の動作フローチャートである。
まず、ステップＳ４１において、インタフェースケーブルをプリンタに接続し、ステッ
プＳ４２において、印刷メニュー表示プログラムモジュールをプリンタからダウンロード
する。ステップＳ４３では、印刷メニュー表示プログラムモジュールが、表示装置の記憶
装置に記憶された印刷データを読み出して、印刷データのサムネイル生成を実行する。ス
テップＳ４４で、印刷メニューを表示部４１に表示する。ステップＳ４５では、サムネイ
ルを表示装置に表示する。こうして、利用者による印刷データの選択を受ける。ステップ
Ｓ４６で、利用者に入力された印刷条件データを取得し、ステップＳ４７で、印刷データ
の選択情報を送信する。ステップＳ４８では、該当する印刷データを送信する。これは、
プリンタ側にまだ、印刷データを送信していない例である。ステップＳ４９で、印刷条件
データを送信する。ステップＳ５０では、印刷実行命令を送信する。なお、この例では、
印刷データを一枚分ずつ送信するようにした。これにより、印刷実行中に次の印刷データ
を送信する処理を実行し、並行処理によって処理速度を速めることができる。ステップＳ
５１では、プリンタが１ページ分の印刷を終了したかどうかを判断する。終了していれば
、ステップＳ５２に進む。終了していなければ待機する。ステップＳ５２で次の印刷があ
るかどうかを判断する。次の印刷があればステップＳ４８に戻る。次の印刷がなければ、
印刷制御処理を終了し、ステップＳ５３で、印刷メニュー用データを消去する。なお、こ
のケースでは、ディジタルカメラの撮影データが印刷データある。従って、プリンタが自
動的に印刷データを消去すると問題が生じることもある。そこで、プログラムのみを自動
消去するようにした。
【００４０】
以上説明した各実施例において、印刷メニューは、印刷条件を入力するための操作用画
面であるから、その構成は任意である。単に、印刷部数の指定といった単純な条件入力だ
けでもよいし、印刷すべき画像を表示して、詳細に条件選択をしてもよい。表示装置は、
少なくとも印刷メニューの表示に利用できればよく、表示制御と印刷条件の受け付けは、
条件受付手段が実行してよい。印刷条件データは、プリンタ制御用のものでよい。印刷デ
ータは印刷開始までにプリンタの記憶装置に転送されればよく、それ以前は、外部機器や
メモリに記憶されていて構わない。
【００４１】
プログラムモジュールは、表示装置側で表示装置のコンピュータにプリンタ制御機能を
付与するもので、プログラムの種類は任意である。表示装置に印刷データの一部を転送す
るとき、複数の印刷データの中から必要な印刷データのみを転送する場合と、印刷データ
そのままでなく、例えば、サムネイル用の印刷データを生成して転送する場合を含む。表
示装置は、所定のウェブサイトから、印刷制御モジュールをダウンロードすることもでき
るが、ダウンロードする印刷制御モジュールは、プリンタ固有のものでも汎用性のあるも
のでも構わない。
【００４２】
なお、上記の演算処理装置で実行されるコンピュータプログラムは、機能ブロックで図
示した単位でモジュール化されてもよいし、複数の機能ブロックを組み合わせて一体化さ
れてもよい。また、上記のコンピュータプログラムは、既存のアプリケーションプログラ
ムに組み込んで使用してもよい。本発明を実現するためのコンピュータプログラムは、例
えばＣＤ−ＲＯＭのようなコンピュータで読み取り可能な記録媒体に記録して、任意の情
報処理装置にインストールして利用することができる。
【図面の簡単な説明】
【００４３】
【図１】本発明のプリンタの実施例を示すブロック図。
【図２】表示装置の具体的な内部機能ブロック図。
【図３】本発明のシステムのハードウエア構成説明図。
【図４】表示装置の表示部に表示された印刷メニューとその動作説明図。
【図５】本発明の各種の実施態様を説明する説明図。
【図６】プリンタの動作フローチャート。
【図７】印刷メニュー表示プログラムモジュールダウンロード動作フローチャート。
【図８】表示装置側の動作フローチャート。
【符号の説明】
【００４４】
１０  プリンタ、１１  用紙、２０  記憶装置、２１  印刷データ、２２  印刷メニュー
、２３  印刷条件データ、２４  印刷メニュー表示プログラムモジュール、３０  演算処
理装置、３１  メニュー表示制御手段、３２  条件受付手段、３３  印刷制御手段、３４
削除処理手段、３５  印刷データ取得手段、３６  インタフェース、３７  プリントエ
ンジン、３８  ＵＳＢケーブル、４０  表示装置（ディジタルカメラ）、４１  表示部、
５０  印刷メニュー
【図１】
2006264219.tif 000003
【図２】
2006264219.tif 000004
【図３】
2006264219.tif 000005
【図４】
2006264219.tif 000006
【図５】
2006264219.tif 000007
【図６】
2006264219.tif 000008
【図７】
2006264219.tif 000009
【図８】
2006264219.tif 000010